(57)【特許請求の範囲】
【請求項１】
Ｇ．７０９に基づく多段多重ルーティング制御方法であって、
ゲートウェイネットワーク要素が、ルーティングプロトコルを拡張することにより、自体の多段多重化能力を自体の所在するルーティングドメイン又は経路計算エンティティに放送し、そうすることによって、前記ゲートウェイネットワーク要素により光伝送ネットワークの多段多重化配置と管理を実現することを備え、
前記多段多重化能力には、該ゲートウェイネットワーク要素に接続されているリンクのポートが支援する多重レベル及び適応能力情報を含み、
前記ゲートウェイネットワーク要素の多段多重化能力は、前記ゲートウェイネットワーク要素が自体のノードボード及びポート情報を検出することにより生成され、又は、前記ゲートウェイネットワーク要素が管理プレーンで配置される多段多重化能力を受信するＧ．７０９に基づく多段多重ルーティング制御方法。
【請求項２】
前記ルーティングプロトコルはトラフィック  エンジニアリングに基づく開放型最短経路優先プロトコル（ＯＳＰＦ−ＴＥ――Ｏｐｅｎ  Ｓｈｏｒｔｅｓｔ  Ｐａｔｈ  Ｆｉｒｓｔ−Ｔｒａｆｆｉｃ  Ｅｎｇｉｎｅｅｒｉｎｇ）又はトラフィック  エンジニアリングに基づく中間システムと中間システム（ＩＳ−ＩＳ−ＴＥ）である請求項１に記載の多段多重化ルーティング制御方法。
【請求項３】
ゲートウェイネットワーク要素がルーティングプロトコルを拡張することにより、自体の多段多重化能力を前記ゲートウェイネットワーク要素の所在するルーティングドメイン又は経路計算エンティティに放送するステップは、
前記ゲートウェイネットワーク要素が拡張されたインタフェーススイッチング能力記述子に前記多段多重化能力を携帯することを含み、前記拡張された記述子が帯域幅情報フィールドと具体的なスイッチング能力情報フィールドを含み、
前記具体的なスイッチング能力情報フィールドは、前記ゲートウェイネットワーク要素に接続されているリンクのポートが支援する信号タイプ及び多重レベル情報を指示することに用いられ、
前記帯域幅情報フィールドは、前記ゲートウェイネットワーク要素に接続されているリンクのポートが支援する各レベルの信号タイプの帯域幅情報を指示することに用いられる請求項１〜２のいずれか一つに記載の多段多重化ルーティング制御方法。
【請求項４】
前記拡張されたインタフェーススイッチング能力記述子にはさらに信号タイプフィールドが携帯され、
前記信号タイプフィールドがＯＤＵｊと指示する場合、前記帯域幅情報フィールドはＮ個の帯域幅表示行を含み、それぞれ優先順位Ｐｘのもとで、ＯＴＵｊに直接に多重化するＯＤＵｊの使用可能な個数を指示し、及び優先順位Ｐｘのもとで、さらに高いレートのＯＤＵｋに多重化するＯＤＵｊの使用可能な個数を指示し、前記ＯＤＵｊは非ＯＤＵｆｌｅｘのＯＤＵ信号であり、又は、
前記信号タイプフィールドが他の信号をＯＤＵｆｌｅｘに多重化すると指示する場合、前記帯域幅情報フィールドはＮ個の帯域幅表示行を含み、それぞれ優先順位Ｐｘのもとで、使用可能なバイパス時間系列の個数を指示し、及び、優先順位Ｐｘのもとで、バイパス時間系列の最大の個数を指示し、ｋ，ｊ及びＮが自然数で、ｘ＝０，…，Ｎ−１である請求項３に記載の多段多重化ルーティング制御方法。
【請求項５】
Ｎ＝８で、ｊ＝０，１，２，３，４，２ｅである請求項４に記載の多段多重化ルーティング制御方法。
【請求項６】
前記具体的なスイッチング能力情報フィールドは多段多重化層数の個数フィールド及びＭ個のサブフィールドを含み、
前記多段多重化層数の個数フィールドは、ＯＤＵｊ信号をＯＤＵｋにマッピングする時、支援する多段多重化段階の個数を表し、ｋとｊがいずれも自然数で、且つｋ＞ｊであり、
Ｍ個の前記サブフィールドにおけるそれぞれのサブフィールドは１個の多段多重化能力を記述し、それぞれのサブフィールドは多段多重化層数情報フィールド及び多段多重化信号タイプ情報フィールドを含み、前記Ｍは支援する多段多重化能力の個数を表し、
前記多段多重化層数情報フィールドは１個の多段多重化の層数を指示することに用いられ、
前記多段多重化信号タイプ情報フィールドは１個の多段多重化の各信号タイプ及び多重化関係を指示することに用いられる請求項３に記載の多段多重化ルーティング制御方法。
【請求項７】
ゲートウェイネットワーク要素は、ルーティングプロトコルを拡張することにより、自体の多段多重化能力を前記ゲートウェイネットワーク要素の所在するルーティングドメイン又は経路計算エンティティに放送するステップは、
前記ルーティングプロトコルを拡張し、前記ルーティングプロトコルが多段多重化能力の携帯を支援するようにさせ、リンクタイプのリンク状態放送データ・パケットの高位タイプ長さの値に１つの多段多重化制約サブタイプ長さの値を増加し、前記多段多重化制約サブタイプ長さの値を使用して前記ゲートウェイネットワーク要素の多段多重化能力を携帯することを含み、
前記多段多重化制約サブタイプ長さの値がタイプフィールド、長さフィールド及び多段多重化能力情報フィールドを含み、
前記タイプフィールドは該サブタイプ長さの値のタイプを指示することに用いられ、
前記長さフィールドは多段多重化能力情報フィールドの長さを指示することに用いられ、
前記多段多重化能力情報フィールドは、支援する具体的な多段多重化能力を指示することに用いられる請求項１〜２のいずれか一つに記載の多段多重化ルーティング制御方法。
【請求項８】
前記多段多重化能力情報フィールドには、Ｍ個のサブフィールドを含み、それぞれのサブフィールドは１個の多段多重化能力を記述し、それぞれのサブフィールドは多段多重化層数情報フィールド及び多段多重化信号タイプ情報フィールドを含み、前記Ｍは支援する多段多重化能力の個数を表し、
前記多段多重化層数情報フィールドは多段多重化の層数を指示することに用いられ、
前記多段多重化信号タイプ情報フィールドは、多段多重化の各信号タイプを指示することに用いられる請求項７に記載の多段多重化ルーティング制御方法。
【請求項９】
多段多重化能力配置モジュール及び配置と管理モジュールを備えるゲートウェイネットワーク要素であって、
前記多段多重化能力配置モジュールは、ルーティングプロトコルを拡張することにより、前記ゲートウェイネットワーク要素の多段多重化能力を前記ゲートウェイネットワーク要素の所在するルーティングドメイン又は経路計算エンティティに放送するように設置され、さらに自体のノードボード及びポート情報を検出することにより前記多段多重化能力を生成し、又は管理プレーンで配置された多段多重化能力を受信するように設置され、
前記配置と管理モジュールは、配置された多段多重化能力により光伝送ネットワークの多段多重化配置と管理を実現するように設置され、
前記多段多重化能力は前記ゲートウェイネットワーク要素に接続されているリンクのポートが支援する多重レベル及び適応能力情報を含むゲートウェイネットワーク要素。
【請求項１０】
前記ルーティングプロトコルはトラフィック  エンジニアリングに基づく開放型最短経路優先プロトコル（ＯＳＰＦ−ＴＥ）又はトラフィック  エンジニアリングに基づく中間システムと中間システム（ＩＳ−ＩＳ−ＴＥ）である請求項９に記載のゲートウェイネットワーク要素。
【請求項１１】
前記多段多重化能力配置モジュールは、帯域幅情報フィールドと具体的なスイッチング能力情報フィールドを含む拡張されたインタフェーススイッチング能力記述子に前記多段多重化能力を携帯する方式で、自体の多段多重化能力を前記ゲートウェイネットワーク要素の所在するルーティングドメイン又は経路計算エンティティに放送するように設置され、
前記具体的なスイッチング能力情報フィールドは、前記ゲートウェイネットワーク要素に接続されているリンクのポートが支援する信号タイプ及び多重レベル情報を指示することに用いられ、
前記帯域幅情報フィールドは、前記ゲートウェイネットワーク要素に接続されているリンクのポートが支援する各レベルの信号の帯域幅情報を指示することに用いられる請求項９〜１０のいずれか一つに記載のゲートウェイネットワーク要素。
【請求項１２】
前記インタフェーススイッチング能力記述子にはさらに信号タイプフィールドが携帯され、
前記信号タイプフィールドがＯＤＵｊと指示する場合、前記帯域幅情報フィールドは、Ｎ個の帯域幅表示行を含み、それぞれ優先順位Ｐｘのもとで、ＯＴＵｊに直接に多重化するＯＤＵｊの使用可能な個数を指示し、及び優先順位Ｐｘのもとで、さらに高いレートのＯＤＵｋに多重化するＯＤＵｊの使用可能なの個数を指示し、前記ＯＤＵｊは非ＯＤＵｆｌｅｘのＯＤＵ信号であり、又は、
前記信号タイプフィールドが他の信号をＯＤＵｆｌｅｘに多重化すると指示する場合、前記帯域幅情報フィールドはＮ個の帯域幅表示行を含み、それぞれ優先順位Ｐｘのもとで、使用可能なバイパス時間系列の個数を指示し、及び優先順位Ｐｘのもとで、バイパス時間系列の最大の個数を指示し、ｋ、ｊ及びＮがいずれも自然数で、ｘ＝０，…，Ｎ−１である請求項１１に記載のゲートウェイネットワーク要素。
【請求項１３】
Ｎ＝８で、ｊ＝０，１，２，３，４，２ｅである請求項１２に記載のゲートウェイネットワーク要素。
【請求項１４】
前記具体的なスイッチング能力情報フィールドは多段多重化層数の個数フィールド及びＭ個のサブフィールドを含み、
前記多段多重化層数の個数フィールドは、ＯＤＵｊ信号をＯＤＵｋにマッピングする時、支援する多段多重化段階の個数を表し、ｋとｊがいずれも自然数で、且つｋ＞ｊであり、
Ｍ個の前記サブフィールドにおけるそれぞれのサブフィールドは１個の多段多重化能力を記述し、それぞれのサブフィールドは多段多重化層数情報フィールド及び多段多重化信号タイプ情報フィールドを含み、前記Ｍは支援する多段多重化能力の個数を表し、
前記多段多重化層数情報フィールドは１個の多段多重化の層数を指示することに用いられ、
前記多段多重化信号タイプ情報フィールドは１個の多段多重化の各信号タイプ及び多重化関係を指示することに用いられる請求項１１に記載のゲートウェイネットワーク要素。
【請求項１５】
前記多段多重化能力配置モジュールは、以下の方式で、ルーティングプロトコルを拡張することにより、自体の多段多重化能力を前記ゲートウェイネットワーク要素の所在するルーティングドメイン又は経路計算エンティティに放送するように設置され、該方式は、即ち、
前記ルーティングプロトコルを拡張して、前記ルーティングプロトコルが多段多重化能力の携帯を支援するようにさせ、リンクタイプのリンク状態放送データ・パケットの高位タイプ長さの値に１つの多段多重化制約サブタイプ長さの値を増加し、前記多段多重化制約サブタイプ長さの値を使用して前記ゲートウェイネットワーク要素の多段多重化能力を携帯し、前記多段多重化制約サブタイプ長さの値がタイプフィールド、長さフィールド及び多段多重化能力情報フィールドを含み、
前記タイプフィールドは該サブタイプ長さの値のタイプを指示することに用いられ、
前記長さフィールドは多段多重化能力情報フィールドの長さを指示することに用いられ、
前記多段多重化能力情報フィールドは、支援する具体的な多段多重化能力を指示することに用いられる請求項９〜１０のいずれか一つに記載のゲートウェイネットワーク要素。
【請求項１６】
前記多段多重化能力情報フィールドには、Ｍ個のサブフィールドを含み、それぞれのサブフィールドは１個の多段多重化能力を記述し、それぞれのサブフィールドは多段多重化層数情報フィールド及び多段多重化信号タイプ情報フィールドを含み、前記Ｍは支援する多段多重化能力の個数を表し、
前記多段多重化層数情報フィールドは多段多重化の層数を指示することに用いられ、
前記多段多重化信号タイプ情報フィールドは多段多重化の各信号タイプを指示することに用いられる請求項１５に記載のゲートウェイネットワーク要素。
【発明の詳細な説明】
【技術分野】
【０００１】
本発明は、光ネットワーク伝送分野に関し、特に光伝送ネットワーク自動スイッチング光ネットワークにおけるＧ．７０９に基づく多重ルーティング制御方法及びゲートウェイネットワーク要素に関する。
【背景技術】
【０００２】
光伝送ネットワーク（ＯＴＮ）は、１９９９年に高速時分割多重（ＴＤＭ，Ｔｉｍｅ  Ｄｉｖｉｓｉｏｎ  Ｍｕｌｔｉｐｌｅｘｉｎｇ）信号の大容量伝送問題を解決するために提案された「デジタルラッパー」技術である。２００３版に定義されたＯＴＮはクライアント層信号に伝送、多重化、保護及び監視管理等の機能を提供することができ、支援するクライアント層信号は主に同期伝送モジュール（ＳＴＭ−Ｎ）、非同期伝送モード（ＡＴＭ）及び汎用フレーム化手順（ＧＦＰ）によりマッピングして支援するイーサネット信号であり、定義されたレートレベルは２．５Ｇ、１０Ｇ及び４０Ｇである。伝送ネットワークが信号を伝送するインタネットプロトコル（ＩＰ）化及び１０Ｇ  ＬＡＮインターフェースの普及に従って、１０万メガのイーサネット（ＧＥ）のＯＴＮ上での伝送は１つの重要な問題になり、従って国際電気通信連合（ＩＴＵ−Ｔ）は２００７年にＧ．７０９に対する補足標準（Ｇ．ｓｕｐ４３）を開発し、ＯＴＮが１０ＧＥ信号を伝送する方式を定義した。
【０００３】
従来のＯＴＮの多重化体系は非常に簡単であり、レートレベルは２．５Ｇ，１０Ｇ及び４０Ｇであり、それぞれ光チャネルデータユニット（ＯＤＵ）１、ＯＤＵ２及びＯＤＵ３に対応する。一定のビットレート（ＣＢＲ，Ｃｏｎｓｔａｎｔ  Ｂｉｔ  Ｒａｔｅ）のサービスは非同期マッピング手順（ＡＭＰ）又はビット同期マッピング手順（ＢＭＰ）方式で相応するＯＤＵｋにマッピングし、パケット（Ｐａｃｋｅｔ）サービスはＧＦＰ方式でＯＤＵｋにマッピングし、これらのＯＤＵｋはさらに相応する光チャネル伝送ユニット（ＯＴＵ）ｋ中にマッピングする。当然、図１に示すように、低レートレベルのＯＤＵは高レートレベルのＯＤＵ中に多重化することもできる。
【０００４】
マルチサービスに適応するために、ＯＴＮは新たな概念、即ち上位（ＨＯ，Ｈｉｇｈ  Ｏｒｄｅｒ）ＯＤＵと下位（ＬＯ，Ｌｏｗ  Ｏｒｄｅｒ）ＯＤＵを導入し、図２に示すように、図２において左から数えて、第１列はＬＯ  ＯＤＵであり、それぞれの枠中におけるレートレベル、例えばＯＤＵ３はいずれもＯＤＵ３（Ｌ）と標識し、Ｌは即ちＬｏｗ  Ｏｒｄｅｒであり、第２列は上位であり、それぞれの枠中におけるレートレベル、例えばＯＤＵ３はいずれもＯＤＵ３（Ｈ）と標識し、Ｈは即ちＨｉｇｈ  Ｏｒｄｅｒである。ＨＯ／ＬＯは同期デジタル・ハイアラーキ（ＳＤＨ）における上位／下位容器の概念と一致し、ＬＯ  ＯＤＵはサービス層に相当し、異なるレートと異なるフォーマットのサービスに適応することに用いられ、ＨＯ  ＯＤＵはチャネル層に相当し、一定の帯域幅の伝送能力を提供することに用いられ、このレベル的なの構造はサービスボードとサーキットボードの分離を支援し、従ってネットワーク展開にさらなる柔軟性と経済性をもたらす。
【０００５】
Ｇ．７０９改正（Ａｍｅｎｄｍｅｎｔ）３とＧ．ｓｕｐ  ４３は２００３年のＧ．７０９に対して、大きな変化が起き、ＯＤＵ０、ＯＤＵ２ｅ、ＯＤＵ３ｅ１、ＯＤＵ３ｅ２、柔軟なＯＤＵ（ＯＤＵｆｌｅｘ）及びＯＤＵ４を含む新たな信号タイプを導入した。まず１つのレートが１．２４４Ｇｂ／ｓである新たな光チャネルデータユニットＯＤＵ０を導入し、ＯＤＵ０は独立に交差接続してもよく、上位ＯＤＵ中（例えばＯＤＵ１、ＯＤＵ２、ＯＤＵ３及びＯＤＵ４）にマッピングしてもよい。将来の１００ＧＥサービスの伝送に適応するために、ＯＤＵ４を導入し、レートが１０４．３５５Ｇｂ／ｓである。
【０００６】
ＯＤＵ１がＯＤＵ２、ＯＤＵ３にマッピングし、及びＯＤＵ２がＯＤＵ３にマッピングし、元のＧ．７０９バージョンの２．５Ｇバイパス時間系列マッピング多重化方式を保持し、ＯＤＵ１がＯＤＵ２とＯＤＵ３にマッピングする１．２５Ｇバイパス時間系列を増加し、ＯＤＵ２が  ＯＤＵ３にマッピングする１．２５Ｇバイパス時間系列を増加し、他の新たなレート（ＯＤＵ０、ＯＤＵ２ｅ、ＯＤＵｆｌｅｘ）がＯＤＵ１、ＯＤＵ２、ＯＤＵ３、ＯＤＵ４にマッピングすることは、いずれも１．２５Ｇバイパス時間系列マッピング多重化方式を採用する。Ｇ．ｓｕｐ  ４３に従って、ＯＤＵ２ｅはＯＤＵ３ｅ１の２．５Ｇバイパス時間系列にマッピングすることができ、ＯＤＵ２ｅはさらにＯＤＵ３ｅ１の１．２５Ｇバイパス時間系列にマッピングすることができる。大多数の下位ＯＤＵは上位において同じバイパス時間系列の個数を有し、ところが、ＯＤＵ２ｅは例外であり、ＯＤＵ２ｅはＯＤＵ３において９個の１．２５Ｇバイパス時間系列又は５個の２．５Ｇバイパス時間系列を占用する必要があり、ＯＤＵ２ｅはＯＤＵ４において８個の１．２５Ｇバイパス時間系列を占用する必要があり、そのうち、ＯＤＴＵＧは光チャネルデータトリビュタリユニットグループ（Ｏｐｔｉｃａｌ  ｃｈａｎｎｅｌ  Ｄａｔａ  Ｔｒｉｂｕｔａｒｙ  Ｕｎｉｔ  Ｇｒｏｕｐ）を表す。図３はＧ．７０９標準及びＧ．ｓｕｐ４３標準の詳細のマッピング多重化経路構造である。
【０００７】
柔軟（Ｆｌｅｘｉｂｌｅ）なＯＤＵの思想は最初に２００８年９月のＩＴＵ−Ｔ  Ｑ１１／ＳＧ１５中間会議と２００８年１２月のＩＴＵ−Ｔ  ＳＧ１５会合に広く議論された。Ｆｌｅｘｉｂｌｅ  ＯＤＵの最初の考えは任意のビットレートのクライアント信号にＯＴＮのビット透明伝送を提供することである。ＯＤＵｆｌｅｘは現在、効果的にＯＤＵ２、ＯＤＵ３又はＯＤＵ４にマッピングすることができない新たなビットレートへの支援に用いられることが所望されている。ＯＤＵｆｌｅｘは１つの下位ＯＤＵとされ、１つのＯＤＵｆｌｅｘは上位ＯＤＵｋの任意整数倍のバイパス時間系列の個数を占用する。ＯＤＵｆｌｅｘ帯域幅は動的に調整することができる。
【０００８】
現在、Ｐａｃｋｅｔ  ＯＤＵｆｌｅｘの大きさがｎ´１．２４４１６Ｇｂｉｔ／ｓ±２０ｐｐｍ（１≦ｎ≦８０）であり、ＣＢＲ  ＯＤＵｆｌｅｘの大きさがクライアント信号レートの２３９／２３８倍であることを推薦する。新たに定義したＯＤＵｆｌｅｘはＯＤＵ０、ＯＤＵ１、ＯＤＵ２及びＯＤＵ３にマッピングしたクライアント信号にマッピングを提供しない。ＣＢＲクライアント信号に対して、ＢＭＰによりクライアント信号をＯＤＵｆｌｅｘにマッピングすることが望ましく、ＯＤＵｆｌｅｘレートはクライアント信号レートの２３９／２３８倍（クライアント信号レートが２．５Ｇ以上）であり、パケットサービスクライアント信号に対して、現在ＧＦＰを使用してクライアント信号をＯＤＵｆｌｅｘにマッピングすることを討論し、ＯＤＵｆｌｅｘ＝ｎ＊１．２４４１６Ｇ（１≦ｎ≦８０）であり、ＯＤＵｆｌｅｘビットレートは上位ＯＤＵｋのバイパス時間系列の個数の整数倍である。
【０００９】
２００３年バージョンＧ．７０９標準が発布した後、数年の発展を経て、ＯＴＮ設備は大量に展開され、最新のＧ．７０９標準はまた大きな変更が起き、新たに展開されたＯＴＮ設備が制御プレーンをロードした後、１本のエンドとエンドのラベルスイッチング経路は同時に多くの古い設備と新しい設備を制御する可能性があり、古い設備は２．５Ｇバイパス時間系列ユニットのみを支援できるが、新しい設備は２．５Ｇバイパス時間系列ユニットを支援すると同時に１．２５Ｇバイパス時間系列ユニットを支援することができ、１本のエンドとエンドラベルスイッチング経路は古い設備と新しい設備を通過する時、エンドとエンドサービスを管理する時に関連する相互接続は、１つの現実に存在している技術問題になる。
【００１０】
図４に示すように、該ネットワークがすでに展開されたＯＴＮネットワークにおいて、ＯＴＮネットワークにおけるすべてのノード設備の実現はいずれも２００３年に発布したＧ．７０９標準バージョンに基づき、ネットワークにおけるそれぞれのノードはＯＤＵ０とＯＤＵｆｌｅｘを支援せず、且つ２．５Ｇバイパス時間系列（ＴＳ）に基づく。データサービスの大量のアプリケーションに従って、オペレータは、従来のネットワークにＯＤＵ０とＯＤＵｆｌｅｘアプリケーションを導入する必要があり、ＯＤＵ０とＯＤＵｆｌｅｘアプリケーションを従来のネットワークに導入する時、１．２５Ｇ  ＴＳを支援するネットワークと展開された２．５Ｇ  ＴＳを支援するネットワークとの相互接続の問題が存在し、他の技術の導入がないと、オペレータは従来のネットワークにおけるすべてのノードをアップグレードしてＯＤＵ０とＯＤＵｆｌｅｘを支援しなければならず、このようにして、オペレータが投資したＯＴＮネットワークを破壊することに決まっている。そのうち、ＸＣは交差接続Ｃｒｏｓｓ  Ｃｏｎｎｅｃｔｉｏｎを表す。
【００１１】
１本のエンドとエンドのＯＤＵｋサービスは同時に多くの古い設備と新しい設備を通過する可能性があり、古い設備は２．５Ｇバイパス時間系列ユニットのみを支援することができるが、新しい設備は２．５Ｇバイパス時間系列ユニットを支援すると同時に１．２５Ｇバイパス時間系列ユニットを支援することができ、１本のエンドとエンドＯＤＵｋが古い設備と新しい設備を通過する時、エンドとエンドサービスを管理する時に関連する相互接続は１つの現実に存在している技術問題になる。同時に、ＯＤＵ０とＯＤＵｆｌｅｘサービスをＯＴＮネットワークに導入してすでに展開されたネットワークに相互接続する問題は存在している。
【発明の概要】
【発明が解決しようとする課題】
【００１２】
本発明が解決しようとする技術問題は、光伝送ネットワーク自動スイッチング光ネットワークにおいて、Ｇ．７０９に基づく多段多重ルーティング制御方法及びゲートウェイネットワーク要素を提供することである。
【課題を解決するための手段】
【００１３】
Ｇ．７０９に基づく多段多重ルーティング制御方法であって、
ゲートウェイネットワーク要素は、ルーティングプロトコルを拡張することにより、自体の多段多重化能力を自体の所在するルーティングドメイン又は経路計算エンティティに放送し、そうするように、前記ゲートウェイネットワーク要素により光伝送ネットワークの多段多重化配置と管理を実現することを備え、前記多段多重化能力は、該ゲートウェイネットワーク要素に接続されているリンクのポートが支援する多重レベル（ｍｕｌｔｉｐｌｅｘｉｎｇ  ｈｉｅｒａｒｃｈｙ）及び適応能力情報を含む。
【００１４】
前記ゲートウェイネットワーク要素の多段多重化能力は、前記ゲートウェイネットワーク要素が自体のノードボード及びポート情報を検出することにより生成され、又は、前記ゲートウェイネットワーク要素が管理プレーンで配置される多段多重化能力を受信する。
【００１５】
前記ルーティングプロトコルはトラフィック  エンジニアリングに基づく開放型最短経路優先プロトコル（ＯＳＰＦ−ＴＥ）又はトラフィック  エンジニアリングに基づく中間システムと中間システム（ＩＳ−ＩＳ−ＴＥ）である。
【００１６】
ゲートウェイネットワーク要素がルーティングプロトコルを拡張することにより、自体の多段多重化能力を前記ゲートウェイネットワーク要素の所在するルーティングドメイン又は経路計算エンティティに放送するステップは、
前記ゲートウェイネットワーク要素が拡張されたインタフェーススイッチング能力記述子に前記多段多重化能力を携帯することを含み、前記拡張されたインタフェーススイッチング能力記述子が帯域幅情報フィールドと具体的なスイッチング能力情報フィールドを含み、
前記具体的なスイッチング能力情報フィールドは、前記ゲートウェイネットワーク要素に接続されているリンクのポートが支援する信号タイプ及び多重レベル情報を指示することに用いられ、
前記帯域幅情報フィールドは、前記ゲートウェイネットワーク要素に接続されているリンクのポートが支援する各レベルの信号タイプの帯域幅情報を指示することに用いられる。
【００１７】
前記拡張されたインタフェーススイッチング能力記述子にはさらに信号タイプフィールドが携帯され、
前記信号タイプフィールドがＯＤＵｊと指示する場合、前記帯域幅情報フィールドはＮ個の帯域幅表示行を含み、それぞれ優先順位Ｐｘのもとで、ＯＴＵｊに直接に多重化するＯＤＵｊの使用可能な個数を指示し、及び優先順位Ｐｘのもとで、さらに高いレートのＯＤＵｋに多重化するＯＤＵｊの使用可能な個数を指示し、前記ＯＤＵｊは非ＯＤＵｆｌｅｘのＯＤＵ信号であり、又は、
前記信号タイプフィールドが他の信号をＯＤＵｆｌｅｘに多重化すると指示する場合、前記帯域幅情報フィールドはＮ個の帯域幅表示行を含み、それぞれ優先順位Ｐｘのもとで、使用可能なバイパス時間系列の個数を指示し、及び、優先順位Ｐｘのもとで、バイパス時間系列の最大の個数を指示し、ｋ，ｊ及びＮが自然数で、ｘ＝０，…，Ｎ−１である。
【００１８】
Ｎ＝８で、ｊ＝０，１，２，３，４，２ｅである。
【００１９】
前記具体的なスイッチング能力情報フィールドは多段多重化層数の個数フィールド及びＭ個のサブフィールドを含み、
前記多段多重化層数の個数フィールドは、ＯＤＵｊ信号をＯＤＵｋにマッピングする時、支援する多段多重化段階の個数を表し、ｋとｊがいずれも自然数で、且つｋ＞ｊであり、
Ｍ個の前記サブフィールドにおけるそれぞれのサブフィールドは１個の多段多重化能力を記述し、それぞれのサブフィールドは多段多重化層数情報フィールド及び多段多重化信号タイプ情報フィールドを含み、前記Ｍは支援する多段多重化能力の個数を表し、
前記多段多重化層数情報フィールドは１個の多段多重化の層数を指示することに用いられ、
前記多段多重化信号タイプ情報フィールドは１個の多段多重化の各信号タイプ及び多重化関係を指示することに用いられる。
【００２０】
ゲートウェイネットワーク要素は、ルーティングプロトコルを拡張することにより、自体の多段多重化能力を前記ゲートウェイネットワーク要素の所在するルーティングドメイン又は経路計算エンティティに放送するステップは、
前記ルーティングプロトコルを拡張し、前記ルーティングプロトコルに多段多重化能力の携帯を支援させ、リンクタイプのリンク状態放送データ・パケットの高位タイプ長さの値に１つの多段多重化制約サブタイプ長さの値を増加し、前記多段多重化制約サブタイプ長さの値を使用して前記ゲートウェイネットワーク要素の多段多重化能力を携帯することを含み、前記多段多重化制約サブタイプ長さの値がタイプフィールド、長さフィールド及び多段多重化能力情報フィールドを含み、
前記タイプフィールドは該サブタイプ長さの値のタイプを指示することに用いられ、
前記長さフィールドは多段多重化能力情報フィールドの長さを指示することに用いられ、
前記多段多重化能力情報フィールドは、支援する具体的な多段多重化能力を指示することに用いられる。
【００２１】
前記多段多重化能力情報フィールドは、Ｍ個のサブフィールドを含み、それぞれのサブフィールドは１個の多段多重化能力を記述し、それぞれのサブフィールドは多段多重化層数情報フィールド及び多段多重化信号タイプ情報フィールドを含み、前記Ｍは支援する多段多重化能力の個数を表し、
前記多段多重化層数情報フィールドは多段多重化の層数を指示することに用いられ、
前記多段多重化信号タイプ情報フィールドは、多段多重化の各信号タイプを指示することに用いられる。
【００２２】
多段多重化能力配置モジュール及び配置と管理モジュールを備えるゲートウェイネットワーク要素であって、
前記多段多重化能力配置モジュールは、ルーティングプロトコルを拡張することにより、前記ゲートウェイネットワーク要素の多段多重化能力を前記ゲートウェイネットワーク要素の所在するルーティングドメイン又は経路計算エンティティに放送するように設置され、
前記配置と管理モジュールは、配置された多段多重化能力により光伝送ネットワークの多段多重化配置と管理を実現するように設置され、
前記多段多重化能力は前記ゲートウェイネットワーク要素に接続されているリンクのポートが支援する多重レベル及び適応能力情報を含む。
【００２３】
前記多段多重化能力配置モジュールは、さらに自体のノードボード及びポート情報を検出することにより前記多段多重化能力を生成し、又は管理プレーンで配置された多段多重化能力を受信するように設置される。
【００２４】
前記ルーティングプロトコルはトラフィック  エンジニアリングに基づく開放型最短経路優先プロトコル（ＯＳＰＦ−ＴＥ）又はトラフィック  エンジニアリングに基づく中間システムと中間システム（ＩＳ−ＩＳ−ＴＥ）である。
【００２５】
前記多段多重化能力配置モジュールは、帯域幅情報フィールドと具体的なスイッチング能力情報フィールドを含む拡張されたインタフェーススイッチング能力記述子に前記多段多重化能力を携帯するように、自体の多段多重化能力を前記ゲートウェイネットワーク要素の所在するルーティングドメイン又は経路計算エンティティに放送するように設置され、
前記具体的なスイッチング能力情報フィールドは、前記ゲートウェイネットワーク要素に接続されているリンクのポートが支援する信号タイプ及び多重レベル情報を指示することに用いられ、
前記帯域幅情報フィールドは、前記ゲートウェイネットワーク要素に接続されているリンクのポートが支援する各レベルの信号の帯域幅情報を指示することに用いられる。
【００２６】
前記インタフェーススイッチング能力記述子にはさらに信号タイプフィールドが携帯され、
前記信号タイプフィールドがＯＤＵｊと指示する場合、前記帯域幅情報フィールドは、Ｎ個の帯域幅表示行を含み、それぞれ優先順位Ｐｘのもとで、ＯＴＵｊに直接に多重化するＯＤＵｊの使用可能な個数を指示し、及び優先順位Ｐｘのもとで、さらに高いレートのＯＤＵｋに多重化するＯＤＵｊの使用可能な個数を指示し、前記ＯＤＵｊは非ＯＤＵｆｌｅｘのＯＤＵ信号であり、又は、
前記信号タイプフィールドが他の信号をＯＤＵｆｌｅｘに多重化すると指示する場合、前記帯域幅情報フィールドはＮ個の帯域幅表示行を含み、それぞれ優先順位Ｐｘのもとで、使用可能なバイパス時間系列の個数を指示し、及び優先順位Ｐｘのもとで、バイパス時間系列の最大の個数を指示し、ｋ、ｊ及びＮがいずれも自然数で、ｘ＝０，…，Ｎ−１である。
【００２７】
Ｎ＝８で、ｊ＝０，１，２，３，４，２ｅである。
【００２８】
前記具体的なスイッチング能力情報フィールドは多段多重化層数の個数フィールド及びＭ個のサブフィールドを含み、
前記多段多重化層数の個数フィールドは、ＯＤＵｊ信号をＯＤＵｋにマッピングする時、支援する多段多重化段階の個数を表し、ｋとｊがいずれも自然数で、且つｋ＞ｊであり、
Ｍ個の前記サブフィールドにおけるそれぞれのサブフィールドは１個の多段多重化能力を記述し、それぞれのサブフィールドは多段多重化層数情報フィールド及び多段多重化信号タイプ情報フィールドを含み、前記Ｍは支援する多段多重化能の個数を表し、
前記多段多重化層数情報フィールドは１個の多段多重化の層数を指示することに用いられ、
前記多段多重化信号タイプ情報フィールドは１個の多段多重化の各信号タイプ及び多重化関係を指示することに用いられる。
【００２９】
前記多段多重化能力配置モジュールは、以下の方式で、ルーティングプロトコルを拡張することにより、自体の多段多重化能力を前記ゲートウェイネットワーク要素の所在するルーティングドメイン又は経路計算エンティティに放送するように設置され、該方式は、即ち、
前記ルーティングプロトコルを拡張して、多段多重化能力の携帯を支援させ、リンクタイプのリンク状態で放送データ・パケットの高位タイプ長さの値に１つの多段多重化制約サブタイプ長さの値を増加し、前記多段多重化制約サブタイプ長さの値を使用して前記ゲートウェイネットワーク要素の多段多重化能力を携帯し、前記多段多重化制約サブタイプ長さの値がタイプフィールド、長さフィールド及び多段多重化能力情報フィールドを含み、
前記タイプフィールドは該サブタイプ長さの値のタイプを指示することに用いられ、
前記長さフィールドは多段多重化能力情報フィールドの長さを指示することに用いられ、
前記多段多重化能力情報フィールドは、支援する具体的な多段多重化能力を指示することに用いられる。
【００３０】
前記多段多重化能力情報フィールドには、Ｍ個のサブフィールドを含み、それぞれのサブフィールドは１個の多段多重化能力を記述し、それぞれのサブフィールドは多段多重化層数情報フィールド及び多段多重化信号タイプ情報フィールドを含み、前記Ｍは支援する多段多重化能力の個数を表し、
前記多段多重化層数情報フィールドは多段多重化の層数を指示することに用いられ、
前記多段多重化信号タイプ情報フィールドは多段多重化の各信号タイプを指示することに用いられる。
【発明の効果】
【００３１】
本発明実施例に提供される方法は、多段多重化制御を実現する。
【図面の簡単な説明】
【００３２】
【図１】図１は２００３年に出版されたＧ．７０９標準に有するマッピング多重化配置模式図である。
【図２】図２はＧ．７０９  Ａｍｅｎｄｍｅｎｔ３とＧ．ｓｕｐ４３標準に有するマッピング多重化配置模式図である。
【図３】図３はＧ．７０９標準及びＧ．ｓｕｐ４３標準の詳細のマッピング多重化配置模式図である。
【図４】図４はオペレータがすでに投資して展開したＯＴＮネットワーク配置模式図である。
【図５】図５はＯＤＵ０とＯＤＵｆｌｅｘ信号を支援するＯＴＮ設備を図４に示す従来のネットワークに加えるために多段多重化を支援するゲートウェイネットワーク要素を導入するネットワーク配置模式図の一である。
【図６】図６はチャネルのネットワーク設計に基づく１つのＯＴＮネットワーク配置模示図である。
【図７】図７はＯＤＵ０とＯＤＵｆｌｅｘ信号を支援するＯＴＮ設備を図４に示す従来のネットワークに加えるために多段多重化を支援するゲートウェイネットワーク要素を導入するネットワーク配置模式図の二である。
【図８】図８は本発明実施例に提案した１種の多段多重化制約サブタイプ長さの値（Ｍｕｌｔｉ  Ｓｔａｇｅｓ  Ｍｕｌｔｉｐｌｅｘ  Ｃｏｎｓｔｒａｉｎｔｓ  Ｓｕｂ−ＴＬＶ）のコーディング図である。
【図９】図９はＯＤＵ０とＯＤＵｆｌｅｘ信号を支援するＯＴＮ設備を図４に示す従来のネットワークに加えるためにゲートウェイネットワーク要素を導入した後のネットワークアーキテクチャ図である。
【図１０】図１０はＧａｔｅｗａｙ  １がトラフィック  エンジニアリングに基づく開放型最短経路優先プロトコル（ＯＳＰＦ−ＴＥ）プロトコルにより本ノード上で支援する多段多重化能力をルーティングドメイン全体に放送するＭｕｌｔｉ  Ｓｔａｇｅｓ  Ｍｕｌｔｉｐｌｅｘ  Ｃｏｎｓｔｒａｉｎｔｓ  Ｓｕｂ−ＴＬＶのコーディング模示図である。
【図１１】図１１はＧａｔｅｗａｙ  ３がＯＳＰＦ−ＴＥプロトコルにより本ノード上で支援する多段多重化能力をルーティングドメイン全体に放送するＭｕｌｔｉ  Ｓｔａｇｅｓ  Ｍｕｌｔｉｐｌｅｘ  Ｃｏｎｓｔｒａｉｎｔｓ  Ｓｕｂ−ＴＬＶのコーディング模示図である。
【図１２】図１２はＧａｔｅｗａｙ  ４がＯＳＰＦ−ＴＥプロトコルにより本ノード上で支援する多段多重化能力をルーティングドメイン全体に放送するＭｕｌｔｉ  Ｓｔａｇｅｓ  Ｍｕｌｔｉｐｌｅｘ  Ｃｏｎｓｔｒａｉｎｔｓ  Ｓｕｂ−ＴＬＶのコーディング模示図である。
【図１３】図１３はオペレータがまた投資して建設した１つの１０Ｇ、１つの４０Ｇ及び１つの１００ＧＯＴＮネットワークが図９に基づくＯＴＮネットワークと互いに接続してなる１つのＯＴＮネットワーク模示図である。
【図１４】図１４はＧａｔｅｗａｙ  ５がＯＳＰＦ−ＴＥプロトコルにより本ノード上で支援する多段多重化能力をルーティングドメイン全体に放送するコーディング模示図である。
【図１５】図１５はＧａｔｅｗａｙ  ７がＯＳＰＦ−ＴＥプロトコルにより本ノード上で支援する多段多重化能力をルーティングドメイン全体に放送するコーディング模示図である。
【図１６】図１６は１つの多段多重化能力を提供するＯＴＮノード内部構造図である。
【図１７】図１７は多段多重化を表す１種のＯＤＵｋ（ｋ＝ＯＤＵ０，１，２，３，４，２）に対するＩＳＣＤ拡張方式である。
【図１８】図１８は多段多重化を表す１種のＯＤＵｆｌｅｘに対するＩＳＣＤ拡張方式である。
【図１９】図１９はＳｗｉｔｃｈｉｎｇ  Ｃａｐａｂｉｌｉｔｙ−ｓｐｅｃｉｆｉｃ  ｉｎｆｏｒｍａｔｉｏｎのフォーマット定義である。
【図２０】図２０はＳｗｉｔｃｈｉｎｇ  Ｃａｐａｂｉｌｉｔｙ−ｓｐｅｃｉｆｉｃ  ｉｎｆｏｒｍａｔｉｏｎの１つの例である。
【図２１】図２１は多段多重化ＯＴＮネットワークをアプリケーションした１つの位相例である。
【図２２】図２２はＡノードとＢノードとの間のリンクがＩＳＣＤにより表す帯域幅情報及び多段多重化情報である。
【図２３】図２３はノードＢとノードＣとの間のリンクがＩＳＣＤにより表す帯域幅情報及び多段多重化情報である。
【図２４】図２４はノードＣとノードＤとの間のリンクがＩＳＣＤにより表す帯域幅情報及び多段多重化情報である。
【図２５】図２５はノードＣとノードＥとの間のリンクがＩＳＣＤにより表す帯域幅情報及び多段多重化情報である。
【図２６】図２６はソースがＡノードとＤノードである１本のエンドとエンドＯＤＵ０サービスである。
【図２７】図２７はソースがＡノードとＥノードである１本のエンドとエンドＯＤＵ０サービスである。
【発明を実施するための形態】
【００３３】
以下、図面と具体的な実施例を参照してさらに本発明を説明する。
【００３４】
ＯＴＮ標準はずっと単段ＯＤＵ多重化を支援する。ＯＴＮ  ｖ１におけるフォローアップ結果は、ＯＤＵ１が直接にＯＤＵ３の１つのバイパス時間系列にマッピングし、まずＯＤＵ２にマッピングする必要がない。該プロセッサアーキテクチャの動機は複雑さを軽減させることである。該プロセッサアーキテクチャの正常の進化過程中、新たに増加したＯＴＮ機能は更なる高いレートが所望され、従って単段多重化概念はより容易に前へ進められる。つまり、レートがいずれも上へ増加すると、単段多重化は容易にＯＴＮプロセッサアーキテクチャに引き続き使用される可能性がある。ＯＤＵ０とＯＤＵｆｌｅｘをＯＴＮレベルアーキテクチャに導入し、新たに増加したＯＤＵｋ信号レートをいずれも従来のレートより遥かに低くさせ、これは、いくつかの異なる課題をもたらす。なぜかというと、新たに増加したレートは従来のレートのクライアントであってもよいからである。従って、はっきりしているアプリケーションが存在し、二段多重化はＯＤＵ０とＯＤＵｆｌｅｘ信号の従来のネットワークへの導入を補助することが所望され、従って従来のネットワークにおけるそれぞれのノードを更新する必要がない。１つのドメインにおいて二段多重化を使用すると、オペレータが新たなレートをこれらの新たなレートを支援する必要があるそれらのノードに限制アプリケーションすることは許可される。二段多重化はＯＤＵ０とＯＤＵｆｌｅｘ信号の従来のネットワークへの導入を補助することが所望され、従って従来のネットワークにおけるそれぞれのノードを更新する必要がない。ところが、Ｇａｔｅｗａｙネットワーク要素が導入されて多段多重化を支援することが必要である。
【００３５】
本発明実施例は、従来のネットワークにゲートウェイ（Ｇａｔｅｗａｙ）ネットワーク要素を導入し、又は従来のあるネットワーク要素をゲートウェイネットワーク要素にアップグレードし、これらのゲートウェイネットワーク要素上に多段多重化（Ｍｕｌｔｉ  Ｓｔａｇｅ  Ｍｕｌｔｉｐｌｅｘｉｎｇ）を実現することを提案し、そのようにして、ＯＤＵ０とＯＤＵｆｌｅｘアプリケーションをすでに展開されたネットワークに導入し、且つ１．２５Ｇ  ＴＳのネットワークと展開された２．５Ｇ  ＴＳネットワークの相互接続を解決し、１．２５Ｇ  ＴＳ信号と２．５Ｇ  ＴＳ信号との間の変換を完成することができる。オペレータの既存しているＯＴＮネットワーク投資を保護するとともに、新たなＯＤＵｋアプリケーションをすでに投資したＯＴＮネットワーク中に導入することができる。
【００３６】
図４に示すネットワークをアップグレードして図５に示すネットワークを取得し、図５はゲートウェイネットワーク要素を導入したため、従来のネットワークにおけるそれぞれのノードを更新する必要がなく、図５に含むゲートウェイネットワーク要素は二段多重化を支援し、従って展開されたネットワークにおいてＯＤＵ０／ＯＤＵｆｌｅｘを支援することを許可する。ＯＤＵ０／ＯＤＵｆｌｅｘをまずＯＤＵ１又はＯＤＵ２にマッピングし、続いてＯＤＵ１／ＯＤＵ２をＯＤＵ３にマッピングし、ノード４，５，６，７がＯＤＵ０／ＯＤＵｆｌｅｘに会う必要がなく、直接にＯＤＵ１又はＯＤＵ２をスイッチングし、従ってオペレータの既存投資を保護するとともに新たなアプリケーションとサービスを導入し、オペレータの既存ネットワーク投資をインクリメントさせることができる。
【００３７】
ネットワークアップグレードシーンの以外、第二個の潜在的な二段多重化アプリケーションはチャネルに基づくネットワーク設計である。１つのＯＤＵ４ネットワークにおいて、それぞれのＯＤＵ４はいずれも８０個のバイパス時間系列を有する。仮に多量のＯＤＵ０とＯＤＵｆｌｅｘは３〜４個のバイパス時間系列が必要である。多量の回路サービスは同じ端末点（又はひいては経路全体の一部分）をシェアすると、管理の角度から見れば、ゲートウェイ（Ｇａｔｅｗａｙ）ネットワーク要素を導入し、中間ノードに作成する必要がある接続数量を最小限に抑えるように、ＯＤＵ０とＯＤＵｆｌｅｘをまずＯＤＵ２又はＯＤＵ３に多重化する。ＯＤＵ２／ＯＤＵ３は効果的に１本のＯＤＵ０／ＯＤＵｆｌｅｘが使用する、ＯＤＵ４ネットワークを通過するチャネルを作成する。図６に示すＯＤＵ４ネットワークのように、ＯＤＵ０／ＯＤＵｆｌｅｘは非ゲートウェイネットワーク要素のみに対して可視である。二段多重化がゲートウェイネットワーク要素の複雑さを増加させるが、ほかの非ゲートウェイネットワーク要素ノードに配置する必要がある交差接続の数を減少させる。
【００３８】
管理プレーンと制御プレーンはＯＴＮネットワークにおけるそれぞれのリンクの詳しいい情報を取得し、該詳しい情報はリンクが支援するバイパス時間系列粒度大小、支援するバイパス時間系列最大の個数（つまり、リンクの最大帯域幅）、現在リンクが使用可能なバイパス時間系列の個数及びリンクが支援できる下位信号タイプを含む。しかし、図７において、それぞれのゲートウェイネットワーク要素が支援する多段多重化能力は異なり、Ｇａｔｅｗａｙ  １と４ノード及びＧａｔｅｗａｙ  ３と７ノードの間に位置するリンクは、ＯＤＵ０が二段多重化によりＯＤＵ３  Ｎｅｔｗｏｒｋ  ２ネットワーク中（つまり、ＯＤＵ０がＯＤＵ１又はＯＤＵ２にマッピングすることができ、さらにＯＤＵ１又はＯＤＵ２をＯＤＵ３にマッピングする）にマッピングできるため、これらのリンクが支援する下位信号しか知らないと経路計算エンティティがルーティングを計算することに用いられるには足りず、さらにＯＤＵ０がどのような方式によりＯＤＵ  ３  Ｎｅｔｗｏｒｋ  ２ネットワーク中にマッピングするかを知る必要がある。つまり、Ｇａｔｅｗａｙ  １と４ノード及びＧａｔｅｗａｙ  ３と７ノードの間のリンクが支援する多段多重化能力は経路計算エンティティに知らせなければならない。従って、管理プレーン又は制御プレーンが１本のエンドとエンドのＯＤＵｋサービスを計算する前に、必ずネットワークにおけるゲートウェイネットワーク要素の多段多重化能力を取得しなければならない。また、制御プレーンにおける経路計算エンティティは拡張により、プロトコル又はルーティングプロトコルがネットワーク要素の多段多重化能力を取得することを自動に発見する。
【００３９】
従って、本発明実施例は、ゲートウェイネットワーク要素を従来のＯＴＮネットワークに導入する時、エンドとエンドＯＤＵｋサービスの経路計算エンティティがエンドとエンドＯＤＵｋサービスのため、通過したゲートウェイネットワーク要素を確定し、及びゲートウェイネットワーク要素上に適当な多段多重化能力を選択するように、経路計算エンティティが、ゲートウェイネットワーク要素が多段多重化能力を支援する情報を取得するルーティング制御方法を提案する。
【００４０】
本発明実施例に提供するＧ．７０９に基づく多重化ルーティング制御方法は、
ゲートウェイネットワーク要素は、リンク状態で放送データ・パケットにその多段多重化能力を携帯し、ルーティングプロトコルにより前記ゲートウェイネットワーク要素の多段多重化能力を所在するルーティングドメイン又は経路計算エンティティに放送し、そのように、前記ゲートウェイネットワーク要素により光伝送ネットワークの多段多重化配置と管理を実現することを備える。前記ルーティングプロトコルはトラフィック  エンジニアリングに基づく開放型最短経路優先プロトコル（ＯＳＰＦ−ＴＥ）又はトラフィック  エンジニアリングに基づく中間システムと中間システム（ＩＳ−ＩＳ−ＴＥ）である。前記多段多重化能力は、該ゲートウェイネットワーク要素に接続されているリンクのポートが支援する多重レベル及び適応能力情報を含む。
【００４１】
前記ゲートウェイネットワーク要素の多段多重化能力は前記ゲートウェイネットワーク要素が自体のノードボード及びポート情報を検出することにより生成され、又は、管理プレーンで配置された後、前記ゲートウェイネットワーク要素が受信する。前記ゲートウェイネットワーク要素が管理プレーンで配置される多段多重化能力を受信する時、さらにデータプレーンが前記管理プレーンで配置される多段多重化能力を支援するかどうかをチェックする。
【００４２】
前記ルーティングプロトコルを拡張し、前記ルーティングプロトコルに多段多重化能力の携帯を支援させ、リンク（ｌｉｎｋ）タイプのリンク状態放送データ・パケットの高位タイプ長さの値（Ｔｏｐ  Ｌｅｖｅｌ  ＴＬＶ）に１つの多段多重化制約サブタイプ長さの値（Ｍｕｌｔｉ  Ｓｔａｇｅｓ  Ｍｕｌｔｉｐｌｅｘ  Ｃｏｎｓｔｒａｉｎｔｓ  Ｓｕｂ−ＴＬＶ）を増加し、前記Ｍｕｌｔｉ  Ｓｔａｇｅｓ  Ｍｕｌｔｉｐｌｅｘ  Ｃｏｎｓｔｒａｉｎｔｓ  Ｓｕｂ−ＴＬＶを使用して前記ゲートウェイネットワーク要素の多段多重化能力を携帯し、前記Ｍｕｌｔｉ  Ｓｔａｇｅｓ  Ｍｕｌｔｉｐｌｅｘ  Ｃｏｎｓｔｒａｉｎｔｓ  Ｓｕｂ−ＴＬＶがタイプフィールド、長さフィールド及び多段多重化能力情報フィールドを含み、
前記タイプフィールドは該サブタイプ長さの値のタイプを指示することに用いられ、
前記長さフィールドは多段多重化能力情報フィールドの長さを指示することに用いられ、
前記多段多重化能力情報フィールドは、支援する具体的な多段多重化能力を指示することに用いられ、前記多段多重化能力情報フィールドには、Ｍ個のサブフィールドを含み、それぞれのサブフィールドは１個の多段多重化能力を記述し、それぞれのサブフィールドは多段多重化層数情報フィールド及び多段多重化信号タイプ情報フィールドを含み、前記Ｍは支援する多段多重化能力の個数を表し、
前記多段多重化層数情報フィールドは多段多重化の層数を指示することに用いられ、
前記多段多重化信号タイプ情報フィールドは、多段多重化の各信号タイプを指示することに用いられる。
【００４３】
以下、実施例によりさらに本発明を説明する。
【００４４】
実施例１
ルーティングプロトコル（ＯＳＰＦ−ＴＥ又はＩＳ−ＩＳ−ＴＥ、トラフィック  エンジニアリングに基づく開放型最短経路優先プロトコル又はトラフィック  エンジニアリングに基づく中間システムと中間システム）によりゲートウェイネットワーク要素の多段多重化能力情報を所在するルーティングドメインに放送するため、本発明実施例はルーティングプロトコルを拡張した。
【００４５】
従来の技術と標準に従って、ｒｆｃ２３７０は、不透明な（Ｏｐａｑｕｅ）リンク状態広告（Ｌｉｎｋ  Ｓｔａｔｅ  Ａｄｖｅｒｔｉｓｅｍｅｎｔ，ＬＳＡ）を定義し、Ｏｐａｑｕｅ  ＬＳＡの氾濫の範囲に従って、３種類のＯｐａｑｕｅ  ＬＳＡタイプを定義し、それぞれは９，１０，１１タイプのＬＳＡである。１１タイプのＯｐａｑｕｅ  ＬＳＡは自律システム（ＡＳ，Ａｕｔｏｎｏｍｏｕｓ  Ｓｙｓｔｅｍ）全体範囲内に氾濫することができ、１０タイプのＯｐａｑｕｅ  ＬＳＡの氾濫範囲は該ＬＳＡに関連するエリア（Ａｒｅａ）を超えてはならず、９つのタイプのＯｐａｑｕｅ  ＬＳＡはローカルネットワーク又はサブネット内のみで氾濫することができる。ｒｆｃ３６３０はＯｐａｑｕｅ  ＬＳＡを拡張し、１種の新たなタイプのＬＳＡを定義し、そのようにトラフィック  エンジニアリングのＬＳＡを支援し、ｒｆｃ３６３０が定義したトラフィック  エンジニアリング（ＴＥ）  ＬＳＡは１種のＯｐａｑｕｅ  ＬＳＡで、且つＡｒｅａ範囲内のみで氾濫することができる。
【００４６】
ｒｆｃ４２０３はｒｆｃ３６３０がリンク（ｌｉｎｋ）タイプを定義したデータ・パケットの高位タイプ長さの値（Ｔｏｐ  Ｌｅｖｅｌ  ＴＬＶ）に４個のサブタイプ長さの値（Ｔｙｐｅ  Ｌｅｎｇｔｈ  Ｖａｌｕｅ，ＴＬＶ）を増加し、汎用のマルチプロトコル  ラベルスイッチング（ＧＭＰＬＳ，Ｇｅｎｅｒａｌｉｚｅｄ  Ｍｕｌｔｉｐｒｏｔｏｃｏｌ  Ｌａｂｅｌ  Ｓｗｉｔｃｈｉｎｇ）を支援することに用い、リンクのローカル／リモート識別子（Ｌｉｎｋ  Ｌｏｃａｌ／Ｒｅｍｏｔｅ  Ｉｄｅｎｔｉｆｉｅｒｓ）、リンク保護タイプ（Ｌｉｎｋ  Ｐｒｏｔｅｃｔｉｏｎ  Ｔｙｐｅ）、インタフェーススイッチング能力記述子（Ｉｎｔｅｒｆａｃｅ  Ｓｗｉｔｃｈｉｎｇ  Ｃａｐａｂｉｌｉｔｙ  Ｄｅｓｃｒｉｐｔｏｒ）及び共有リスクリンクグループ（Ｓｈａｒｅｄ  Ｒｉｓｋ  Ｌｉｎｋ  Ｇｒｏｕｐ）を含む。従来のｒｆｃ４２０３の定義は表１に示されるが、ｒｆｃ４２０３には新たなＴｏｐ  Ｌｅｖｅｌ  ＴＬＶを加えていない。
【００４７】
【表１】
0005710781.tif 000002
【００４８】
本発明実施例は、表２に示すように、ｒｆｃ４２０３が定義したｌｉｎｋのＴｏｐ  Ｌｅｖｅｌ  ＴＬＶにさらに１つのサブＴＬＶを増加し、多段多重化制約サブタイプ長さの値（Ｍｕｌｔｉ  Ｓｔａｇｅｓ  Ｍｕｌｔｉｐｌｅｘ  Ｃｏｎｓｔｒａｉｎｔｓ  Ｓｕｂ−ＴＬＶ）と命名することを提案する。
【００４９】
【表２】
0005710781.tif 000003
【００５０】
前記実施例中において、Ｍｕｌｔｉ  Ｓｔａｇｅｓ  Ｍｕｌｔｉｐｌｅｘ  Ｃｏｎｓｔｒａｉｎｔｓ  Ｓｕｂ−ＴＬＶのＴｙｐｅの値は１７であり、必要に応じてほかの値であってもよく、本発明実施例はこれに対して限定しない。
【００５１】
図８に示すように、本発明実施例は、Ｍｕｌｔｉ  Ｓｔａｇｅｓ  Ｍｕｌｔｉｐｌｅｘ  Ｃｏｎｓｔｒａｉｎｔｓ  Ｓｕｂ−ＴＬＶのコーディング方法を提案し、Ｔｙｐｅ（タイプ）フィールド、Ｌｅｎｇｔｈ（長さ）フィールド及び多段多重化能力情報フィールドを含み、
前記Ｔｙｐｅフィールドは該対象のタイプを指示し、その値が１７であり、これは例示に過ぎず、必要に応じて他の値をタイプフィールドの値としてもよく、
前記Ｌｅｎｇｔｈフィールドは、多段多重化能力情報フィールドの長さを指示することに用いられ、
前記多段多重化能力情報フィールドには、Ｍ個のサブフィールドを含み、それぞれのサブフィールドは１個の多段多重化能力を記述し、それぞれのサブフィールドは多段多重化層数情報（Ｎｕｍ）フィールド及び多段多重化信号タイプ情報（Ｍｕｌｔｉ  Ｓｔａｇｅｓ  Ｍｕｌｔｉｐｌｅｘｉｎｇ  Ｓｕｂ−ＴＬＶ）フィールドを含み、それぞれ多段多重化の層数及び多段多重化の各信号タイプを指示し、Ｍは指定された多段多重化能力の個数である。
【００５２】
例えば、Ｎｕｍ  １は支援する第１個の多段多重化能力の多段多重化の段階を表し、Ｍｕｌｔｉ  Ｓｔａｇｅｓ  Ｍｕｌｔｉｐｌｅｘｉｎｇ  Ｓｕｂ−ＴＬＶ  １は支援する第１個の多段多重化能力の多段多重化の信号タイプを表し、Ｎｕｍ  ２は支援する第２個の多段多重化能力の多段多重化の段階を表し、Ｍｕｌｔｉ  Ｓｔａｇｅｓ  Ｍｕｌｔｉｐｌｅｘｉｎｇ  Ｓｕｂ−ＴＬＶ  ２は支援する第２個の多段多重化能力の多段多重化の信号タイプを表すというように、Ｎｕｍ  Ｍは支援する第Ｍ個の多段多重化能力の多段多重化の段階を表し、Ｍｕｌｔｉ  Ｓｔａｇｅｓ  Ｍｕｌｔｉｐｌｅｘｉｎｇ  Ｓｕｂ−ＴＬＶ  Ｍは支援する第Ｍ個の多段多重化能力の多段多重化の信号タイプを表す。
【００５３】
以下、Ｍｕｌｔｉ  Ｓｔａｇｅｓ  Ｍｕｌｔｉｐｌｅｘ  Ｃｏｎｓｔｒａｉｎｔｓ  Ｓｕｂ−ＴＬＶの１つのコーディング方式である。
【００５４】
Ｓｕｂ  ＴＬＶ  Ｔｙｐｅは１７であり、
Ｎｕｍ  １フィールドは支援する第１個の多段多重化能力（方法）情報の多段多重化の段階を表し、３個のビット（必要に応じて他のビット数を使用してもよく、本発明実施例はビット数を制限しない）を使用して表すことができる。例えば、ＯＤＵ０−ＯＤＵ２−ＯＤＵ３を表す時、Ｎｕｍ  １として２を書き入れ、その後の４個あたりのビット（必要に応じて他のビット数を使用してもよく、本発明実施例はビット数を制限しない）はある１つのＯＤＵｋ（ｋ＝０，１，２，２ｅ，ｆｌｅｘ，３，４）を表し、ともに３組を有する。信号タイプのコーディングは以下の通りであり、
００００：ＯＤＵ０
０００１：ＯＤＵ１
００１０：ＯＤＵ２
００１１：ＯＤＵ３
０１００：ＯＤＵ４
０１０１：ＯＤＵ２ｅ
０１１０：ＯＤＵｆｌｅｘ
前記コーディング方式は例示に過ぎず、他のコーディング方式を採用してＯＤＵｋを表してもよく、本発明実施例はこれを制限しない。
【００５５】
Ｎｕｍ  ２は支援する第２個の多段多重化能力（方法）情報の多段多重化の段階を表し、例えばＯＤＵ０−ＯＤＵ１−ＯＤＵ３を表す時、Ｎｕｍ  ２として２を書き入れ、その後の４個あたりのビットはある１つのＯＤＵｋを表す。
【００５６】
Ｌｅｎｇｔｈ（長さ）フィールドは（Ｎｕｍ１＋１）＊４＋（Ｎｕｍ２＋１）＊４＋…＋（Ｎｕｍ  Ｍ＋１）＊４＋Ｍ＊３であり、Ｍが多段多重化能力の個数である。
【００５７】
実施例２
図９に示すように、図４に基づき、ゲートウェイネットワーク要素を従来のネットワークに導入し、最新バージョンのＧ．７０９標準に従って実現したＯＴＮ設備ノードを展開した後、３つの１０ＧのＯＴＮネットワーク及び１つの４０ＧのＯＴＮネットワークを配置する。４つのネットワークが１つのルーティングドメインに区画される。
【００５８】
１０ＧのＯＴＮネットワークでのそれぞれのリンクが支援するバイパス時間系列大小粒度は１．２５Ｇ  ＴＳである。そのうち、３つの１０ＧのＯＴＮネットワークはゲートウェイネットワーク要素Ｇａｔｅｗａｙ  １、Ｇａｔｅｗａｙ  ３及びＧａｔｅｗａｙ  ４により４０ＧのＯＴＮネットワークに互いに接続し、その間のリンクはＯＴＵ３リンクである。３つの１０ＧのＯＴＮネットワークにおいてそれぞれのノードが支援するスイッチング能力も異なり、そのうち、ＯＤＵ  ２  Ｎｅｔｗｏｒｋ  １におけるノード１、２、３、Ｇａｔｅｗａｙ  １はＯＤＵ０、ＯＤＵ１及びＯＤＵｆｌｅｘのスイッチング能力のみを支援する。ＯＤＵ２  Ｎｅｔｗｏｒｋ  ４におけるノード１１、１２、１３及びＧａｔｅｗａｙ  ４はＯＤＵ０、ＯＤＵｆｌｅｘ及びＯＤＵ１スイッチング能力のみを支援する。ＯＤＵ２  Ｎｅｔｗｏｒｋ  ３におけるノード８、９、１０及びＧａｔｅｗａｙ  ３はＯＤＵ０とＯＤＵｆｌｅｘのスイッチング能力のみを支援し、原因は、オペレータがＯＤＵ２  Ｎｅｔｗｏｒｋ  ３が１  ＧｉｇＥ（ＯＤＵ０）と１０  ＧｉｇＥ（ＯＤＵ２／ＯＤＵ２ｅ）サービスのアクセスしかを担当しないことを求めるので、ＯＤＵ０／ＯＤＵ２スイッチングしかを行わないとより経済的であり、ＯＤＵ１のスイッチングを行う必要がない。そのうち、各ゲートウェイネットワーク要素が支援する多段多重化能力は以下の通りであり、
Ｇａｔｅｗａｙ  １ネットワーク要素が支援する多段多重化能力は、
ＯＤＵ０−ＯＤＵ１−ＯＤＵ３
ＯＤＵ０−ＯＤＵ２−ＯＤＵ３
ＯＤＵ１−ＯＤＵ２−ＯＤＵ３
ＯＤＵｆｌｅｘ−ＯＤＵ２−ＯＤＵ３を含み、
Ｇａｔｅｗａｙ  ３ネットワーク要素が支援する多段多重化能力は、
ＯＤＵ０−ＯＤＵ２−ＯＤＵ３
ＯＤＵｆｌｅｘ−ＯＤＵ２−ＯＤＵ３を含み、
Ｇａｔｅｗａｙ  ４ネットワーク要素が支援する多段多重化能力は、
ＯＤＵ０−ＯＤＵ１−ＯＤＵ３
ＯＤＵ０−ＯＤＵ２−ＯＤＵ３を含み、
Ｇａｔｅｗａｙ  ４ネットワーク要素がＯＤＵｆｌｅｘ−ＯＤＵ２−ＯＤＵ３多段多重化を支援しない理由は、主に、関連するＯＤＵｆｌｅｘアプリケーションがＯＤＵ２  Ｎｅｔｗｏｒｋ  ４ネットワーク内部のみに限られ、ＯＤＵ２  Ｎｅｔｗｏｒｋ  ４ネットワーク範囲を超えるＯＤＵｆｌｅｘが存在せず、即ち、ＯＤＵｆｌｅｘアプリケーションがＯＤＵ３  Ｎｅｔｗｏｒｋ  ２を通過することがないとオペレータが考慮しているからである。従ってＧａｔｅｗａｙ４ネットワーク要素がＯＤＵｆｌｅｘ−ＯＤＵ２−ＯＤＵ３多段多重化を支援する必要がない。
【００５９】
従って、Ｇａｔｅｗａｙ  １は  ＯＳＰＦ−ＴＥプロトコルにより本ノード上で支援する多段多重化能力をルーティングドメイン全体に放送し、Ｍｕｌｔｉ  Ｓｔａｇｅｓ  Ｍｕｌｔｉｐｌｅｘ  Ｃｏｎｓｔｒａｉｎｔｓ  Ｓｕｂ−ＴＬＶコーディングは図１０に示すとおりである。
【００６０】
Ｇａｔｅｗａｙ  ３はＯＳＰＦ−ＴＥプロトコルにより本ノード上で支援する多段多重化能力をルーティングドメイン全体に放送し、Ｍｕｌｔｉ  Ｓｔａｇｅｓ  Ｍｕｌｔｉｐｌｅｘ  Ｃｏｎｓｔｒａｉｎｔｓ  Ｓｕｂ−ＴＬＶコーディングは図１１に示すとおりである。
【００６１】
Ｇａｔｅｗａｙ  ４はＯＳＰＦ−ＴＥプロトコルにより本ノード上で支援する多段多重化能力をルーティングドメイン全体に放送し、Ｍｕｌｔｉ  Ｓｔａｇｅｓ  Ｍｕｌｔｉｐｌｅｘ  Ｃｏｎｓｔｒａｉｎｔｓ  Ｓｕｂ−ＴＬＶコーディングは図１２に示すとおりである。
【００６２】
実施例３
オペレータは図９に示す投資したＯＴＮネットワークの元で、いくつかのＯＴＮネットワークを新たに増築し、図１３に示すように、オペレータが展開した新たなＯＴＮネットワークはそれぞれ１０ＧのＯＤＵ２  Ｎｅｔｗｏｒｋ  ５、４０ＧのＯＤＵ３  Ｎｅｔｗｏｒｋ  ７及び１００ＧのＯＤＵ４  Ｎｅｔｗｏｒｋ  ６の３つのネットワークである。ＯＤＵ４  Ｎｅｔｗｏｒｋ  ６ネットワーク内部にＯＤＵ０とＯＤＵｆｌｅｘなどのエンドとエンドサービスに対する交差接続の個数を減少するために、ＯＤＵ４  Ｎｅｔｗｏｒｋ  ６ネットワーク内におけるすべてのノードはＯＤＵ２（１０Ｇ）とＯＤＵ（４０Ｇ）粒度のスイッチング能力しかを行わない。
【００６３】
ＯＤＵ２  Ｎｅｔｗｏｒｋ  ５ネットワーク内部には多量のＯＤＵ０／ＯＤＵ１／ＯＤＵｆｌｅｘのローカルサービス（即ち、これらのサービスがＯＤＵ  ２  Ｎｅｔｗｏｒｋ  ５ネットワーク内部に限定され、ＯＤＵ４  Ｎｅｔｗｏｒｋ  ６を通過することがない）が存在し、いくつのＯＤＵｋサービスが存在すると、例えばノード１５に１つのＧｉｇＥ  （ＯＤＵ０）をアクセスさせると、ＯＤＵ４  Ｎｅｔｗｏｒｋ  ６を横切る必要があり、ＯＤＵ４  Ｎｅｔｗｏｒｋ  ６の超長距離伝送能力により、サービスをＯＤＵ３  Ｎｅｔｗｏｒｋ  ７における２１ノードに伝送する。従来の技術を利用して、ノード１５と２１ノードとの間に直接に１本のＯＤＵ２のチャネルを作成し、さらにノード１５と２１に直接にＯＤＵ０をＯＤＵ２チャネルに多重化、及び解多重化することができる。ところが、該方法は欠陥があり、超長距離伝送が必要なＯＤＵ０サービスがそんなに多くない場合（例えばこのようなＯＤＵ０エンドとエンドサービスが１本しかない）、特にこれらの低レートの、超長距離伝送が必要なサービスのためＯＤＵ２  Ｎｅｔｗｏｒｋ  ５とＯＤＵ３  Ｎｅｔｗｏｒｋ  ７内部にＯＤＵ２のチャネルを作成するが、多くのローカルサービスがこれらのチャネルをシェアすることができない場合、オペレータに対して、これらの超長距離伝送のエンドとエンドサービスのため、多くの帯域幅を浪費したからである。従って、一番いい方法はＧａｔｅｗａｙ  ５とＧａｔｅｗａｙ  ７との間に直接にＯＤＵ２又はＯＤＵ３のチャネルを作成し、これらのチャネルはＯＤＵ２  Ｎｅｔｗｏｒｋ  ５、ＯＤＵ２  Ｎｅｔｗｏｒｋ  ６及びＯＤＵ３  Ｎｅｔｗｏｒｋ  ７を横切る下位レートサービスにシェアされ、これらの下位レートサービスはそれぞれＯＤＵ２  Ｎｅｔｗｏｒｋ  ５とＯＤＵ２  Ｎｅｔｗｏｒｋ  ６ネットワーク内部に直接にディスパッチされ、予めＯＤＵ２又はＯＤＵ３チャネルを作成する必要がない。しかし、ゲートウェイネットワーク要素を導入する必要があり、Ｇａｔｅｗａｙ  ５とＧａｔｅｗａｙ  ７に、まずＯＤＵ０／ＯＤＵ１／ＯＤＵｆｌｅｘをＯＤＵ２又はＯＤＵ３にマッピングし、さらにＯＤＵ２又はＯＤＵ３をＯＤＵ４マッピングする。
【００６４】
図１３に示すように、新たに導入したゲートウェイネットワーク要素が支援する多段多重化能力は以下の通りであり、
Ｇａｔｅｗａｙ  ５ネットワーク要素が支援する多段多重化能力は、
ＯＤＵ０−ＯＤＵ２−ＯＤＵ４
ＯＤＵ０−ＯＤＵ３−ＯＤＵ４
ＯＤＵ１−ＯＤＵ２−ＯＤＵ４
ＯＤＵ１−ＯＤＵ３−ＯＤＵ４
ＯＤＵｆｌｅｘ−ＯＤＵ２−ＯＤＵ４
ＯＤＵｆｌｅｘ−ＯＤＵ３−ＯＤＵ４を含み、
Ｇａｔｅｗａｙ  ７ネットワーク要素が支援する多段多重化能力は、
ＯＤＵ０−ＯＤＵ２−ＯＤＵ４
ＯＤＵ０−ＯＤＵ３−ＯＤＵ４
ＯＤＵｆｌｅｘ−ＯＤＵ２−ＯＤＵ４
ＯＤＵｆｌｅｘ−ＯＤＵ３−ＯＤＵ４を含み、
従って、Ｇａｔｅｗａｙ  ５は、ＯＳＰＦ−ＴＥプロトコルにより本ノード上で支援する多段多重化能力をルーティングドメイン全体に放送し、Ｍｕｌｔｉ  Ｓｔａｇｅｓ  Ｍｕｌｔｉｐｌｅｘ  Ｃｏｎｓｔｒａｉｎｔｓ  Ｓｕｂ−ＴＬＶコーディングは図１４に示すとおりである。
【００６５】
Ｇａｔｅｗａｙ  ７は、ＯＳＰＦ−ＴＥプロトコルにより本ノード上で支援する多段多重化能力をルーティングドメイン全体に放送し、Ｍｕｌｔｉ  Ｓｔａｇｅｓ  Ｍｕｌｔｉｐｌｅｘ  Ｃｏｎｓｔｒａｉｎｔｓ  Ｓｕｂ−ＴＬＶコーディングは図１５に示すとおりである。
【００６６】
実施例４    
図１６に示すように、多段多重化能力を支援するＯＴＮノードであり、ＯＤＵｉ（ｉ＝０，１，ｆｌｅｘ）をＯＤＵ３にマッピングする時、ＯＤＵ０−ＯＤＵ１−ＯＤＵ３；ＯＤＵ０−ＯＤＵ２−ＯＤＵ３；ＯＤＵｆｌｅｘ−ＯＤＵ２−ＯＤＵ３；ＯＤＵ１−ＯＤＵ２−ＯＤＵ３等の多段多重化段階を支援するが、ＯＤＵ０−ＯＤＵ１−ＯＤＵ２−ＯＤＵ３を支援しない。
【００６７】
図１６に示すＯＴＮノードの多段多重化能力は表３に示すとおりである。
【００６８】
【表３】
0005710781.tif 000004
【００６９】
第１の表の第１行を説明する。第１行の第２列は支援するＯＤＵ３の最大の個数が１であることを指示し、第２列は現在使用可能なＯＤＵ３の個数が１であることを指示し、第３列は現在０個のＯＤＵ３が割り当てられたことを指示し、第４列は、単段多重化を採用するが、ＯＤＵ３がもっとも直接なＯＤＵｋ容器であり、さらに他のＯＤＵｋ容器に多重化する必要がないことを指示する。
【００７０】
１つのＯＴＵ３ポートは１つのＯＤＵ３（４０Ｇ）しか指示できず、１つのＯＤＵ３は４つのＯＤＵ２（１０Ｇ）を支援することができ、それぞれのＯＤＵ２はまた４つのＯＤＵ１（２．５Ｇ）を支援することができ、それぞれのＯＤＵ１は２つのＯＤＵ０（１．２５Ｇ）を支援することができる。
【００７１】
表３の表は１つのＯＴＵ３ポートが支援できる各容器の最大数がＯＤＵ３：１，ＯＤＵ２：４，ＯＤＵ１：１６，ＯＤＵ０：３２であることを示す。
【００７２】
３つの１０ＧｉｇＥ（ＯＤＵ２）サービスと１つのＳＴＭ−１６（ＯＤＵ０）サービスはネットワーク要素Ｇ１から加えられＯＴＵ３リンクを通過する時、Ｕｎｉｔ１、Ｕｎｉｔ２及びＵｎｉｔ３の多段多重化適応能力は変更し、変更した結果は表４に示すとおりである。
【００７３】
表４は表３の表示方法に対して、３つの１０ＧｉｇＥ（ＯＤＵ２）サービスと１つのＳＴＭ−１６サービスがネットワーク要素Ｇ１から加えられてＯＴＵ３リンクを通過する時、Ｕｎｉｔ１、Ｕｎｉｔ２及びＵｎｉｔ３の多段多重化適応能力は変更し、変更した結果は以下の通りである。
【００７４】
【表４】
0005710781.tif 000005
【００７５】
３つの１０ＧｉｇＥ（ＯＤＵ２）サービスと１つのＳＴＭ−１６（ＯＤＵ０）サービスがネットワーク要素Ｇ１から加えられてＯＴＵ３リンクを通過する時、つまり３つのＯＤＵ２（２４個のＯＤＵ０、１２個のＯＤＵ１に相当する）と１つのＯＤＵ１（２つのＯＤＵ０に相当する）が占用され、６つのＯＤＵ０又は３つのＯＤＵ１が残される。従って、該ＯＴＵ３ポートは１つのＯＤＵ３を支援できず、同時に１つのＯＤＵ２の帯域幅が８つのＯＤＵ０又は４つのＯＤＵ１と同じで、且つ現在６つのＯＤＵ０又は３つのＯＤＵ１しかを残していないため、該ＯＴＵ３ポートも１つのＯＤＵ２を支援することができない。従って、最後の結果は表４に示される。
【００７６】
実施例５
図１６に示すＯＴＮノードに対して、さらに別の多段多重化能力の表示方法があり、表５に示すとおりである。
【００７７】
【表５】
0005710781.tif 000006
【００７８】
３つの１０ＧｉｇＥ（ＯＤＵ２）サービスと１つのＳＴＭ−１６サービスがネットワーク要素Ｇ１から加えられてＯＴＵ３リンクを通過する時、Ｕｎｉｔ１、Ｕｎｉｔ２及びＵｎｉｔ３の多段多重化適応能力は変更し、変更した結果は表６に示すとおりである。
【００７９】
表６は表５の表示方法に対して、３つの１０ＧｉｇＥ（ＯＤＵ２）サービスと１つのＳＴＭ−１６サービスがネットワーク要素Ｇ１から加えられてＯＴＵ３リンクを通過する時、Ｕｎｉｔ１、Ｕｎｉｔ２及びＵｎｉｔ３の多段多重化適応能力は変更し、変更した結果は以下のとおりである。
【００８０】
【表６】
0005710781.tif 000007
【００８１】
表５と表３の前記表示方式の区別は主に、表３が、ＯＴＵ３ポートが直接又は間接に支援するＯＤＵ２、ＯＤＵ１及びＯＤＵ０を示し、表５が、ＯＴＵ３ポートが支援するＯＤＵ２とＯＤＵ１を示し、それぞれのＯＤＵ１とＯＤＵ２がさらにＯＤＵ０を直接に支援できることにある。
【００８２】
実施例６
本実施例は、多段多重化能力を携帯するように、ＩＳＣＤ  （Ｉｎｔｅｒｆａｃｅ  Ｓｗｉｔｃｈｉｎｇ  Ｃａｐａｂｉｌｉｔｙ  Ｄｅｓｃｒｉｐｔｏｒ，インタフェーススイッチング能力記述子）を拡張し、拡張されたＩＳＣＤにより、ゲートウェイネットワーク要素の多段多重化能力を所在するルーティングドメイン又は経路計算エンティティに放送することができる。
【００８３】
拡張されたＩＳＣＤはそれぞれ図１７と図１８に示すとおりである。図１７はＯＤＵｆｌｅｘ以外のＯＤＵｋ（ｋ＝０，１，２，３，４，２ｅ）のＩＳＣＤ拡張方式に対するのであり、図１８はＯＤＵｆｌｅｘのＩＳＣＤ拡張方式に対するのである。スイッチング能力（Ｓｗｉｔｃｈｉｎｇ  Ｃａｐａｂｉｌｉｔｙ）、コーディングタイプ（Ｅｎｃｏｄｉｎｇ  Ｔｙｐｅ）、信号タイプ（Ｓｉｇｎａｌ  Ｔｙｐｅ）、保留（Ｒｅｓｅｒｖｅｄ）、帯域幅情報及び具体的なスイッチング能力情報（Ｓｗｉｔｃｈｉｎｇ  Ｃａｐａｂｉｌｉｔｙ−ｓｐｅｃｉｆｉｃ  ｉｎｆｏｒｍａｔｉｏｎ）などのフィールドを含む。前記具体的なスイッチング能力情報フィールドは該ゲートウェイネットワーク要素に接続されているリンクのポートが支援する信号タイプ及び多重レベル情報を指示することに用いられ、前記帯域幅情報フィールドは該ゲートウェイネットワーク要素に接続されているリンクのポートが支援する各段信号タイプの帯域幅情報を指示することに用いられる。
【００８４】
２種類の拡張方式では、Ｓｗｉｔｃｈｉｎｇ  Ｃａｐａｂｉｌｉｔｙ＝ＴＤＭ，Ｅｎｃｏｄｉｎｇ  Ｔｙｐｅ＝Ｇ．７０９である。ところが、図１７の拡張方式に対して、Ｓｉｇｎａｌ  Ｔｙｐｅ＝ＯＤＵｊ，ｊ＝０，１，２，３，４，２ｅであり、もちろん本発明実施例は制限せず、ＯＤＵｆｌｅｘ以外のほかの信号タイプであってもよく、もちろん、これに限らず、ＯＤＵｆｌｅｘ以外のほかのＯＤＵ信号を含んでも良い。図１８の拡張方式に対して、Ｓｉｇｎａｌ  Ｔｙｐｅが他の信号、例えば、Ｓｉｇｎａｌ  Ｔｙｐｅ＝ＯＴＵ２  ＯＤＵｆｌｅｘ、ＯＴＵ３  ＯＤＵｆｌｅｘ、ＯＴＵ４  ＯＤＵｆｌｅｘ、Ｇｅｎｅｒｉｃ  ＯＤＵｆｌｅｘをＯＤＵｆｌｅｘに多重化すると指示し、ＯＴＵ２  ＯＤＵｆｌｅｘがＯＤＵｆｌｅｘをＯＤＵ２に多重化することを表し、ＯＴＵ３  ＯＤＵｆｌｅｘがＯＤＵｆｌｅｘをＯＤＵ３に多重化することを表し、ＯＴＵ４  ＯＤＵｆｌｅｘがＯＤＵｆｌｅｘをＯＤＵ４に多重化することを表し、Ｇｅｎｅｒｉｃ  ＯＤＵｆｌｅｘがＯＤＵｆｌｅｘをＯＤＵ２、ＯＤＵ３和ＯＤＵ４に多重化することを表す時、これらのＯＤＵｋ容器のバイパス時間系列の具体的な大きさに関わらない。図１８の拡張方式に対して、Ｓｉｇｎａｌ  Ｔｙｐｅにおいて具体的にどのように他の信号をＯＤＵｆｌｅｘに多重化すると指示するか、本発明実施例は制限せず、具体的にどれらの信号をＯＤＵｆｌｅｘに多重化するか、本発明実施例は制限しない。
【００８５】
帯域幅情報フィールドは具体的に、図１７のＩＳＣＤ拡張方式がそれぞれ８つの優先順位の帯域幅表示行を定義し、Ｎｕｍｂｅｒ  ｏｆ  ＯＤＵｊ  （ＯＴＵｊ）  ａｔ  Ｐｘ（ｘ＝０…７）が優先順位Ｐｘのもとで、ＯＤＵｊ（該ＯＤＵｊを直接にＯＴＵｊに多重化する）の使用可能な個数を表し、Ｎｕｍｂｅｒ  ｏｆ  ＯＤＵｊ  （ＯＤＵｋ）  ａｔ  Ｐｘ（ｘ＝０…７）が優先順位Ｐｘのもとで、ＯＤＵｊ（該ＯＤＵｊをさらに高いレートのＯＤＵｋに多重化する）の使用可能な個数を表すことを含む。優先順位はリーソース保持と優先順位の掴みを含む。図１８のＩＳＣＤ拡張方式も８つの優先順位の帯域幅表示行を定義し、Ａｖａｉｌａｂｌｅ  Ｎｕｍｂｅｒ  ｏｆ  ＴＳ  ａｔ  Ｐｘ（ｘ＝０…７）は優先順位Ｐｘのもとで、使用可能なバイパス時間系列の個数を表し、Ｍａｘ  Ｎｕｍｂｅｒ  ｏｆ  ＴＳ  ａｔ  Ｐｘ（ｘ＝０…７）は優先順位Ｐｘのもとで、バイパス時間系列の最大の個数を表す。８つは例示に過ぎず、必要に応じてＮ帯域幅表示行を定義することを定義してもよく、Ｎが自然数であり、又は、１つの帯域幅表示行しか定義せず、すべての優先順位下での帯域幅が一致していることを表す。
【００８６】
図１７と図１８のＩＳＣＤ拡張方式に対して、Ｓｗｉｔｃｈｉｎｇ  Ｃａｐａｂｉｌｉｔｙ−ｓｐｅｃｉｆｉｃ  ｉｎｆｏｒｍａｔｉｏｎ（具体的なスイッチング能力情報）フィールドの定義は同じであり、図１９に示すとおりであり、Ｎｕｍｂｅｒ（多段多重化段階の個数）とＭ個のサブフィールドを含み、
Ｎｕｍｂｅｒ（多段多重化段階の個数）：８つのビットであり、ＯＤＵｊ信号をＯＤＵｋ（ｋ＞ｊ）にマッピングする時、支援する多段多重化段階の個数を表す。例えば、信号ＯＤＵ０に対して、ＯＤＵ０−ＯＤＵ１−ＯＤＵ３の多重化を行うことができ、ＯＤＵ０−ＯＤＵ２−ＯＤＵ３であると、Ｎｕｍｂｅｒが２である。
【００８７】
Ｍ個のサブフィールド：それぞれのサブフィールドは多段多重化層数情報（ＭＳＭＨ）フィールド及び多段多重化信号タイプ情報（ＭＳＭＣ）フィールドを含み、
前記多段多重化層数情報フィールドは１つの多段多重化の層数を指示することに用いられ、
前記多段多重化信号タイプ情報フィールドは１つの多段多重化の各信号タイプ及び多重化関係を指示することに用いられる。
【００８８】
具体的に、ＭＳＭＨ１，ＭＳＭＨ２，…，ＭＳＭＨ  Ｍ及び対応するＭＳＭＣ  １，  ＭＳＭＣ  ２．．．  ＭＳＭＣ  Ｍを含む。
【００８９】
ＭＳＭＨ  １，  ＭＳＭＨ２，  ．．．  ，  ＭＳＭＨ  Ｍはいずれも４つのビット（４つのビットは示例に過ぎず、必要に応じて変更してもよい）であり、ある多段多重化段階数を指示し、例えば、ＭＳＭＨ＝１である時、ＯＤＵｊが単段多重化によりＯＤＵｋ（例えば、ＯＤＵ０−ＯＤＵ３）にマッピングすることを表し、ＭＳＭＨ＝４である時、ＯＤＵｊが４段多重化によりＯＤＵｋ（例えば、ＯＤＵ０−ＯＤＵ１−ＯＤＵ２−ＯＤＵ３−ＯＤＵ４）にマッピングすることを表す。
【００９０】
ＭＳＭＣ  １，  ＭＳＭＣ  ２．．．  ＭＳＭＣ  ＭはそれぞれＭＳＭＨ  １，  ＭＳＭＨ２，  ．．．  ，  ＭＳＭＨ  Ｍに対応し、詳しい多段多重化段階情報を指示し、ＭＳＭＣの長さは（ＭＳＭＨ＋１）＊４に等しい。それぞれのＯＤＵｋ（ｋ＝０，１，２，３，４，２ｅ，ｆｌｅｘ）は４つのビットで表し、信号タイプのコーディングは以下の通りであり、
００００：ＯＤＵ０
０００１：ＯＤＵ１
００１０：ＯＤＵ２
００１１：ＯＤＵ３
０１００：ＯＤＵ４
０１０１：ＯＤＵ２ｅ
０１１０：ＯＤＵｆｌｅｘ
前記コーディング方式は例示に過ぎず、他のコーディング方式を採用してＯＤＵｋを表してもよく、本発明実施例はこれに対して制限しない。Ｓｗｉｔｃｈｉｎｇ  Ｃａｐａｂｉｌｉｔｙ−ｓｐｅｃｉｆｉｃ  ｉｎｆｏｒｍａｔｉｏｎの１つの実施例は、図２０に示すように、ＯＤＵ０−ＯＤＵ１−ＯＤＵ２−ＯＤＵ３−ＯＤＵ４多段多重化情報を表す。１は１つの多段多重化段階しか支援しないことを表し、４（０１００を使用すべき、ここで４と略する）は該多段多重化の層数を表し、００００はＯＤＵ０を表し、０００１はＯＤＵ１を表し、００１０はＯＤＵ２を表し、００１１はＯＤＵ３を表し、０１００はＯＤＵ４を表し、組み合わせて０ＤＵ０−ＯＤＵ１−ＯＤＵ２−ＯＤＵ３−ＯＤＵ４を表す。ＯＤＵ０−ＯＤＵ１−ＯＤＵ２の多段多重化も存在すると、図２０において、Ｎｕｍｂｅｒフィールドは２であるべきで、０１００の後に、００１１（多段多重化段階２を表す）を新たに増加し、及び００００，０００１，００１０はそれぞれ０ＤＵ０，０ＤＵ１及びＯＤＵ２を表す。
【００９１】
実施例７
本実施例は１つの具体的なＯＴＮネットワーク位相グラフを提供し、前に説明した実施例を参考して１つの完全かつ包括的な実施例を提供し、該発明のアプリケーションを指導する。
【００９２】
図２１に示すように、その内１本のリンクがＡ、Ｂノードの間の１本のＯＴＵ２とＯＴＵ３とのリンクをバインディングしてなる。
【００９３】
図２２はＡノードとＢノードとの間のリンクがＩＳＣＤにより表す帯域幅情報及び多段多重化情報である。
【００９４】
図２３はノードＢとノードＣとの間のリンクがＩＳＣＤにより表す帯域幅情報及び多段多重化情報である。
【００９５】
図２４はノードＣとノードＤとの間のリンクがＩＳＣＤにより表す帯域幅情報及び多段多重化情報である。
【００９６】
図２５はノードＣとノードＥとの間のリンクがＩＳＣＤにより表す帯域幅情報及び多段多重化情報である。
【００９７】
前記各図において、優先順位情報を省略し、実際にアプリケーションする時、支援する優先順位及び各優先順位下での帯域幅を書き入れてもよく、ここは例を挙げない。多重化層数（ＭＨ）の具体的なフォーマットは図１９を参照し、図２２〜２９中に表示を省略する。
【００９８】
図２６は、ソースがそれぞれＡノードとＤノードである１本のエンドとエンドＯＤＵ０サービスであり、この目的を達成するために、ＡノードとＤノードで多段多重化ＯＤＵ０−ＯＤＵ１−ＯＤＵ２を使用する必要があり、且つＡとＤノードとの間にまず１本のＯＤＵ１のチャネルを作成する必要がある。新たに作成するＯＤＵ１チャネルは１本の位相リンクとしてルーティングドメイン中に放送し、残る１つのＯＤＵ０が使用可能である。
【００９９】
図２７はソースがそれぞれＡノードとＥノードである１本のエンドとエンドＯＤＵ０サービスであり、この目的を達成するために、ＡノードとＥノードで多段多重化ＯＤＵ０−ＯＤＵ２−ＯＤＵ３を使用する必要があり、且つＡとＤノードとの間にまず１本のＯＤＵ２のチャネルを作成する必要がある。新たに作成するＯＤＵ２チャネルは１本の位相リンクとしてルーティングドメイン中に放送し、残る７つのＯＤＵ０及び３つのＯＤＵ１が使用可能である。
【０１００】
本発明実施例はさらにゲートウェイネットワーク要素を提供し、前記ゲートウェイネットワーク要素は、リンク状態広告データ・パケット中に前記ゲートウェイネットワーク要素の多段多重化能力を携帯し、且つルーティングプロトコルにより前記ゲートウェイネットワーク要素の多段多重化能力を前記ゲートウェイネットワーク要素の所在するルーティングドメイン又は経路計算エンティティに放送するように設置され、前記多段多重化能力は前記ゲートウェイネットワーク要素に接続されているリンクのポートが支援する多重レベル及び適応能力情報を含む。
【０１０１】
前記ゲートウェイネットワーク要素は、さらに自体のノードボード及びポート情報を検出することにより前記多段多重化能力を生成し、又は管理プレーンで配置された多段多重化能力を受信するように設置される。
【０１０２】
前記ルーティングプロトコルはトラフィック  エンジニアリングに基づく開放型最短経路優先プロトコルＯＳＰＦ−ＴＥ又はトラフィック  エンジニアリングに基づく中間システムと中間システムＩＳ−ＩＳ−ＴＥである。
【０１０３】
前記ゲートウェイネットワーク要素は、拡張されたインタフェーススイッチング能力記述子を使用して前記多段多重化能力を携帯するように設置され、前記拡張されたインタフェーススイッチング能力記述子は帯域幅情報フィールドと具体的なスイッチング能力情報フィールドを含み、前記具体的なスイッチング能力情報フィールドは該ゲートウェイネットワーク要素に接続されているリンクのポートが支援する信号タイプ及び多重レベル情報を指示することに用いられ、前記帯域幅情報フィールドは該ゲートウェイネットワーク要素に接続されているリンクのポートが支援する各段階信号の帯域幅情報を指示することに用いられる。
【０１０４】
前記インタフェーススイッチング能力記述子にはさらに信号タイプフィールドが携帯され、
信号タイプフィールドがＯＤＵｋで、且つｊ＝０，１，２，３，４，２ｅである場合、前記帯域幅情報フィールドは、Ｎ個の帯域幅表示行を含み、それぞれ優先順位Ｐｘのもとで、ＯＴＵｋに直接に多重化するＯＤＵｋの使用可能な個数を指示し、及び優先順位Ｐｘのもとで、さらに高いレートのＯＤＵｋに多重化するＯＤＵｊの使用可能な個数を指示し、
信号タイプフィールドはＯＤＵｆｌｅｘがＯＤＵ２、ＯＤＵ３、ＯＤＵ４のうちの１つ又は複数に多重化すると指示する場合、前記帯域幅情報フィールドは、Ｎ個の帯域幅表示行を含み、それぞれ優先順位Ｐｘで、使用可能なバイパス時間系列の個数を指示し、及び優先順位Ｐｘのもとで、バイパス時間系列の最大の個数を指示し、ｘ＝０，…，Ｎ−１で、Ｎが自然数である。
【０１０５】
前記具体的なスイッチング能力情報フィールドは多段多重化層数の個数フィールド及びＭ個のサブフィールドを含み、
多段多重化層数の個数フィールドは、ＯＤＵｊ信号をＯＤＵｋにマッピングし、且つｋ＞ｊである時、支援する多段多重化段階の個数を表し、
前記Ｍ個のサブフィールドは、それぞれのサブフィールドが１つの多段多重化能力を記述し、それぞれのサブフィールドは多段多重化層数情報フィールド及び多段多重化信号タイプ情報フィールドを含み、前記Ｍは支援する多段多重化能力の個数を表し、
前記多段多重化層数情報フィールドは１個の多段多重化の層数を指示することに用いられ、
前記多段多重化信号タイプ情報フィールドは１個の多段多重化の各信号タイプ及び多重化関係を指示することに用いられる。
【０１０６】
具体的には方法実施例における記述を参照することができ、ここでそれらを記述しない。
【０１０７】
本発明実施例はさらに多段多重化能力配置モジュール及び配置と管理モジュールを備えるゲートウェイネットワーク要素を提供し
前記多段多重化能力配置モジュールは、ルーティングプロトコルを拡張することにより、前記ゲートウェイネットワーク要素の多段多重化能力を前記ゲートウェイネットワーク要素の所在するルーティングドメイン又は経路計算エンティティに放送するように設置され、
前記配置と管理モジュールは、配置された多段多重化能力により光伝送ネットワークの多段多重化配置と管理を実現するように設置され、
前記多段多重化能力は前記ゲートウェイネットワーク要素に接続されているリンクのポートが支援する多重レベル及び適応能力情報を含む。
【０１０８】
前記多段多重化能力配置モジュールは、さらに自体のノードボード及びポート情報を検出することにより前記多段多重化能力を生成し、又は管理プレーンで配置された多段多重化能力を受信するように設置される。
【０１０９】
前記ルーティングプロトコルはトラフィック  エンジニアリングに基づく開放型最短経路優先プロトコル（ＯＳＰＦ−ＴＥ）又はトラフィック  エンジニアリングに基づく中間システムと中間システム（ＩＳ−ＩＳ−ＴＥ）である。
【０１１０】
前記多段多重化能力配置モジュールは、帯域幅情報フィールドと具体的なスイッチング能力情報フィールドを含む拡張されたインタフェーススイッチング能力記述子に前記多段多重化能力を携帯するように、自体の多段多重化能力を前記ゲートウェイネットワーク要素の所在するルーティングドメイン又は経路計算エンティティに放送するように設置され、
前記具体的なスイッチング能力情報フィールドは、前記ゲートウェイネットワーク要素に接続されているリンクのポートが支援する信号タイプ及び多重レベル情報を指示することに用いられ、
前記帯域幅情報フィールドは、前記ゲートウェイネットワーク要素に接続されているリンクのポートが支援する各レベルの信号の帯域幅情報を指示することに用いられる。
【０１１１】
前記インタフェーススイッチング能力記述子にはさらに信号タイプフィールドが携帯され、
前記信号タイプフィールドがＯＤＵｊと指示する場合、前記帯域幅情報フィールドは、Ｎ個の帯域幅表示行を含み、それぞれ優先順位Ｐｘのもとで、ＯＴＵｊに直接に多重化するＯＤＵｊの使用可能な個数を指示し、及び優先順位Ｐｘのもとで、さらに高いレートのＯＤＵｋに多重化するＯＤＵｊの使用可能な個数を指示し、前記ＯＤＵｊは非ＯＤＵｆｌｅｘのＯＤＵ信号であり、又は、
前記信号タイプフィールドが他の信号をＯＤＵｆｌｅｘに多重化すると指示する場合、前記帯域幅情報フィールドはＮ個の帯域幅表示行を含み、それぞれ優先順位Ｐｘのもとで、使用可能なバイパス時間系列の個数を指示し、及び優先順位Ｐｘのもとで、バイパス時間系列の最大の個数を指示し、ｋ、ｊ及びＮがいずれも自然数で、ｘ＝０，…，Ｎ−１である。
【０１１２】
Ｎ＝８で、ｊ＝０，１，２，３，４，２ｅである。
【０１１３】
前記具体的なスイッチング能力情報フィールドは多段多重化層数の個数フィールド及びＭ個のサブフィールドを含み、
前記多段多重化層数の個数フィールドは、ＯＤＵｊ信号をＯＤＵｋにマッピングする時、支援する多段多重化層次の個数を表し、ｋとｊがいずれも自然数で、且つｋ＞ｊであり、
Ｍ個の前記サブフィールドにおけるそれぞれのサブフィールドは１個の多段多重化能力を記述し、それぞれのサブフィールドは多段多重化層数情報フィールド及び多段多重化信号タイプ情報フィールドを含み、前記Ｍは支援する多段多重化能の個数を表し、
前記多段多重化層数情報フィールドは１個の多段多重化の層数を指示することに用いられ、
前記多段多重化信号タイプ情報フィールドは１個の多段多重化の各信号タイプ及び多重化関係を指示することに用いられる。
【０１１４】
前記多段多重化能力配置モジュールは、以下の方式で、ルーティングプロトコルを拡張することにより、自体の多段多重化能力を前記ゲートウェイネットワーク要素の所在するルーティングドメイン又は経路計算エンティティに放送するように設置され、該方式は、即ち、
前記ルーティングプロトコルを拡張して、多段多重化能力の携帯を支援させ、リンクタイプのリンク状態で放送データ・パケットの高位タイプ長さの値に１つの多段多重化制約サブタイプ長さの値を増加し、前記多段多重化制約サブタイプ長さの値を使用して前記ゲートウェイネットワーク要素の多段多重化能力を携帯し、前記多段多重化制約サブタイプ長さの値がタイプフィールド、長さフィールド及び多段多重化能力情報フィールドを含み、
前記タイプフィールドは該サブタイプ長さの値のタイプを指示することに用いられ、
前記長さフィールドは多段多重化能力情報フィールドの長さを指示することに用いられ、
前記多段多重化能力情報フィールドは、支援する具体的な多段多重化能力を指示することに用いられる。
【０１１５】
前記多段多重化能力情報フィールドには、Ｍ個のサブフィールドを含み、それぞれのサブフィールドは１個の多段多重化能力を記述し、それぞれのサブフィールドは多段多重化層数情報フィールド及び多段多重化信号タイプ情報フィールドを含み、前記Ｍは支援する多段多重化能力の個数を表し、
前記多段多重化層数情報フィールドは多段多重化の層数を指示することに用いられ、
前記多段多重化信号タイプ情報フィールドは多段多重化の各信号タイプを指示することに用いられる。
【産業上の利用可能性】
【０１１６】
本発明実施例に提供する方法は、多段多重化制御を実現した。従って、本発明は強い産業実用性を有する。
【図１】
0005710781.tif 000008
【図２】
0005710781.tif 000009
【図３】
0005710781.tif 000010
【図４】
0005710781.tif 000011
【図５】
0005710781.tif 000012
【図６】
0005710781.tif 000013
【図７】
0005710781.tif 000014
【図８】
0005710781.tif 000015
【図９】
0005710781.tif 000016
【図１０】
0005710781.tif 000017
【図１１】
0005710781.tif 000018
【図１２】
0005710781.tif 000019
【図１３】
0005710781.tif 000020
【図１４】
0005710781.tif 000021
【図１５】
0005710781.tif 000022
【図１６】
0005710781.tif 000023
【図１７】
0005710781.tif 000024
【図１８】
0005710781.tif 000025
【図１９】
0005710781.tif 000026
【図２０】
0005710781.tif 000027
【図２１】
0005710781.tif 000028
【図２２】
0005710781.tif 000029
【図２３】
0005710781.tif 000030
【図２４】
0005710781.tif 000031
【図２５】
0005710781.tif 000032
【図２６】
0005710781.tif 000033
【図２７】
0005710781.tif 000034